(57)【要約】【課題】輝度及び耐環境性に優れた面状照明装置を提供する。【解決手段】面状照明装置１０は、複数のＬＥＤ１１と、複数のＬＥＤ１１が実装されるＦＰＣ１２と、導光板２０とを備えており、ＦＰＣ１２は、導光板２０の裏面２３に両面テープ１５を用いて固定され、複数のＬＥＤ１１は導光板２０の入光面２１に対向配置される。両面テープ１５は、光を反射する白色基材１６と、白色基材１６の導光板２０と対向する側の面に形成され光を反射する白色粘着層１７とを有しており、白色粘着層１７は、粘着剤に光反射性物質が混入されて調製されており、これによって、面状照明装置１０の輝度及び耐環境性を向上させることができる。【選択図】図１
2015032366.tif 000002
【特許請求の範囲】
【請求項１】
複数の光源と、前記複数の光源が実装される回路基板と、前記複数の光源が対向して配置される端面および前記回路基板が両面テープを用いて固定される主面を有する導光板と、を備える面状照明装置であって、前記両面テープは、光を反射する白色基材と、前記白色基材の前記導光板と対向する側の面に形成され光を反射する白色粘着層と、を有し、前記白色粘着層は、粘着剤に光反射性物質が混入されて調製されていることを特徴とする面状照明装置。
【請求項２】
前記両面テープは、前記白色基材よりも前記白色粘着層の方が厚いことを特徴とする請求項１に記載の面状照明装置。
【請求項３】
前記複数の光源及び前記導光板を収納するフレームをさらに有し、前記導光板の前記光源が配置される側の端面と対向する端面または該端面の近傍が、前記両面テープを用いて前記フレームに固定されていることを特徴とする請求項１または２に記載の面状照明装置。
【請求項４】
前記光反射性物質は、白色顔料であることを特徴とする請求項１から３のいずれか１項に記載の面状照明装置。
【発明の詳細な説明】
【技術分野】
【０００１】
本発明は、入光端面に光源を配置して出光面から面状の照明光を射出する導光板を備えたサイドライト方式の面状照明装置に関する。
【背景技術】
【０００２】
液晶表示パネルの照明手段として、小型で環境適合性に優れたＬＥＤを導光板の側端面に沿って配置してなるサイドライト方式の面状照明装置（バックライト）が、広く採用されている。このような面状照明装置では、図５に示す面状照明装置１００のように、複数のＬＥＤ１０２を導光板１０１の側端面１０１ｃに沿って配置するために、複数のＬＥＤ１０２が実装された短冊状のフレキシブルプリント基板（以下、ＦＰＣともいう）１０５の前方部分を、導光板１０１の一方の主面１０１ｂに両面テープ１０６を用いて固定する構成がとられることが多い。
【０００３】
しかしながら、一般に両面テープ１０６は、ＰＥＴフィルム等の透明基材の両面に、アクリル系またはシリコーン系等の透明粘着剤が塗布されて形成されているため、このような配置構成では、各ＬＥＤ１０２から出射した光が、両面テープ１０６の各ＬＥＤ１０２の前方に配置された部分に進入することによって、光の損失が生じ、面状照明装置１００の輝度が低下するという問題が発生する。
【０００４】
そこで、本出願人は、先に、ＬＥＤが点状光源であり、複数のＬＥＤが導光板の側端面に沿って互いに離散して配置されることに着目することにより、この問題を解決する面状照明装置を提案した（例えば、特許文献１参照）。図６に示すように、この面状照明装置１１０では、ＦＰＣ１１５を導光板１１１の一方の主面１１１ｂに接着する両面テープ１１６、１１７、１１８、１１９は、各ＬＥＤ１１２、１１３、１１４の前方部分を除いた領域に間欠的に配置されている。これによって、面状照明装置１１０では、図５に示す面状照明装置１００と比較して、各ＬＥＤ１１２、１１３、１１４から出射した後、両面テープ１１６、１１７、１１８、１１９に進入する光が低減するため、面状照明装置１１０の輝度の低下を抑制することが可能となる。
【先行技術文献】
【特許文献】
【０００５】
【特許文献１】特開２００５−２５９３７４号公報
【発明の開示】
【発明が解決しようとする課題】
【０００６】
しかしながら、面状照明装置１１０のように、両面テープ１１６、１１７、１１８、１１９を間欠的に配置する構成には、面状照明装置１００のように、両面テープ１０６を連続的に配置する構成と比較して、接着面積が狭くなり、ひいては接着強度が低下するという側面もある。したがって、両面テープ１１６、１１７、１１８、１１９を間欠的に配置する構成は、温度や湿度等の環境の変化に伴って主に導光板１１１に発生する変形（伸縮）により、導光板１１１とＦＰＣ１１５との間に応力が発生した場合、その応力に対応できるだけの接着面積（ひいては、接着強度）を確保し、導光板１１１とＬＥＤ１１２、１１３、１１４との位置関係を長期間にわたって安定に維持するためには、不利な構成である。特に、近年、電子機器に表示される情報が増大するにしたがって、表示領域が拡大する傾向にあり、この拡大に対応して、面状照明装置についても、その導光板のサイズやＬＥＤを実装するＦＰＣのサイズが拡大すると、上述したような環境変化により各部材に発生する応力も増大するため、両面テープ１１６、１１７、１１８、１１９の十分な接着面積の確保が難しいことが問題となるおそれがある。
また、近年、液晶表示パネルの高精細化にともなう透過率の低下を補うため、面状照明装置には更なる高輝度化が求められている。
【０００７】
本発明は、上記課題に鑑みてなされたものであり、輝度及び耐環境性に優れた面状照明装置を提供することを目的とする。
【課題を解決するための手段】
【０００８】
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、さらに他の構成要素を付加したものについても、本願発明の技術的範囲に含まれ得るものである。
【０００９】
（１）複数の光源と、前記複数の光源が実装される回路基板と、前記複数の光源が対向して配置される端面および前記回路基板が両面テープを用いて固定される主面を有する導光板と、を備える面状照明装置であって、前記両面テープは、光を反射する白色基材と、前記白色基材の前記導光板と対向する側の面に形成され光を反射する白色粘着層と、を有し、前記白色粘着層は、粘着剤に光反射性物質が混入されて調製されていることを特徴とする面状照明装置（請求項１）。
【００１０】
本項に記載の面状照明装置によれば、回路基板を導光板の主面に固定するために用いられる両面テープが、光を反射する白色基材と、白色基材の導光板と対向する側の面に形成され光を反射する白色粘着層とを有しているため、光源から出射された光が、両面テープに進入したとしても、白色粘着層及び白色基材により反射されて導光板に戻されることになる。これによって、光の損失が低減し、面状照明装置の輝度を向上させることが可能となる。
【００１１】
また、本項に記載の面状照明装置では、上述したように、光源から出射された光が、両面テープに進入したとしても、白色粘着層及び白色基材により反射されて導光板に戻されることになるため、光源から出射された光が両面テープに進入して光の損失が生じることを防ぐために、両面テープを光源の前方部分を除く領域に間欠的に配置する必要がなく、例えば、導光板の複数の光源が対向して配置される端面の長手方向に沿って、各光源の前方部分で途切れることなく、所望の長さにわたって連続して延在するように配置することができる。これによって、回路基板の導光板への固定に際して、広い接着面積、ひいては大きな接着強度を確保することができる。
【００１２】
これによって、温度や湿度等の環境の変化に伴う導光板の変形により、導光板と回路基板間に応力が発生しても、その応力に対応できるだけの接着面積（ひいては、接着強度）を確保して、導光板と光源との間の位置関係を長期間にわたって安定に維持することが可能となる。
本項に記載の面状照明装置は、このような耐環境性の向上を、輝度を低減させることなく実現するものである。
【００１３】
（２）（１）項に記載の面状照明装置において、前記両面テープは、前記白色基材よりも前記白色粘着層の方が厚いことを特徴とする面状照明装置（請求項２）。
【００１４】
本項に記載の面状照明装置によれば、面状照明装置の輝度及び両面テープの接着強度をさらに向上させることが可能となる。
【００１５】
（３）（１）または（２）項に記載の面状照明装置において、前記複数の光源及び前記導光板を収納するフレームをさらに有し、前記導光板の前記光源が配置される側の端面と対向する端面または該端面の近傍が、前記両面テープを用いて前記フレームに固定されていることを特徴とする面状照明装置（請求項３）。
【００１６】
本項に記載の面状照明装置によれば、導光板を、光源が配置される側の端面と対向する端面またはその端面の近傍で、フレームに対して片持ち状に固定することにより、温度や湿度等の環境の変化により導光板が伸縮したとしても、導光板の、光源が配置される側の端面と光源との間の位置関係を安定に保つことが可能となる。
【００１７】
また、本項に記載の面状照明装置によれば、導光板の、光源が配置される側の端面と対向する端面または該端面の近傍に配置された両面テープの光反射作用により、面状照明装置の輝度をさらに向上させることが可能となる。
【００１８】
（４）（１）から（３）のいずれか１項に記載の面状照明装置において、前記光反射性物質は、白色顔料であることを特徴とする面状照明装置（請求項４）。
【００１９】
本項に記載の面状照明装置によれば、粘着剤に混入された白色顔料の光の拡散作用により、光源近傍の輝度ムラを軽減することが可能となる。
【発明の効果】
【００２０】
以上のように、本発明によれば、輝度及び耐環境性の両方に優れた面状照明装置を提供することが可能となる。
【図面の簡単な説明】
【００２１】
【図１】（ａ）は、本発明の第１の実施形態における面状照明装置の要部を示す側断面図であり、（ｂ）は、（ａ）に示す面状照明装置で使用される両面テープの構成を示す側断面図である。
【図２】本発明の第２の実施形態における面状照明装置の要部を示す側断面図である。
【図３】本発明の第２の実施形態における面状照明装置の別の例の要部を示す側断面図である。
【図４】本発明に係る面状照明装置の変形例の要部を示す側断面図である。
【図５】従来の面状照明装置の一例を示す平面図である。
【図６】従来の面状照明装置の別の例を示す平面図である。
【発明を実施するための形態】
【００２２】
以下、本発明の実施形態に係る面状照明装置を図面を参照して説明する。なお、添付の各図面において、各構成要素の形状、寸法等は、本発明の理解を容易にするため適宜誇張して示されている。同様に、本発明の理解を容易にするために、互いに隣接する構成要素の間には、適宜空間が挿入されて示されており、特に明示して断らない限り、本発明の構成は、そのような空間の有無によって限定されるものではない。また、互いに隣接する構成要素の間に、実際の構成上、空間が介在する場合でも、添付の各図面において、その空間の寸法は、本発明の理解を容易にするため適宜誇張して示されている。
【００２３】
本発明の第１の実施形態である面状照明装置１０は、図１（ａ）に示すように、光源としてのＬＥＤ１１と、ＬＥＤ１１が実装される回路基板としてのフレキシブル回路基板（ＦＰＣ）１２と、導光板２０とを備えている。導光板２０は、透明材料（例えば、ポリカーボネート樹脂）を用いて上面視矩形状に形成されており、その外表面に、ＬＥＤ１１から射出された光が入射する端面である入光面２１を有し、入光面２１から入射した光を、互いに対向する２つの主面２２、２３のうちの一方（図示の例では、主面２２）から、面状に射出させるように構成されている。以下では、主面２２を出光面２２、主面２３を裏面２３ともいう。面状照明装置１０において、導光板２０の裏面２３側には、裏面２３からの漏れ光を反射して導光板２０内に戻すための反射シート２５が配置されている。
【００２４】
ここで、本発明において、入光面２１から、入光面２１と対向する端面（図１（ａ）への図示は省略する）に向かう方向（図１（ａ）の紙面左方向）を「前方」（その反対方向を「後方」）という。また、裏面２３が出光面２２を向く方向（図１（ａ）の紙面上方向）を「上方」（その反対方向を「下方」）と定義し、この定義による上下方向を、「厚み方向」ともいう。さらに、前後方向及び上下方向と直交する方向（図１（ａ）の紙面に直交する方向）を（必要な場合、前方に向かって「右方」及び「左方」を定義して）左右方向ともいう。左右方向は、言い換えれば、入光面２１の長手方向である。
【００２５】
面状照明装置１０は、複数のＬＥＤ１１を有しており、これらのＬＥＤ１１は、上面視短冊状に形成されたＦＰＣ１２の後方部分に、光出射面１１ａを前方に向けて、ＦＰＣ１２の長手方向（図１（ａ）の紙面に直交する方向）に沿って実装されている。
そして、ＦＰＣ１２は、その前方部分が、導光板２０の裏面２３の入光面２１寄りの部分に両面テープ１５を用いて固定されており、これによって、複数のＬＥＤ１１は、導光板２０の入光面２１の長手方向に沿って配列された状態で、入光面２１に対向して固定配置される。
【００２６】
ここで、両面テープ１５は、図１（ｂ）に示すように、基材１６と、基材１６の両面に形成された粘着層１７、１８とを備えている。面状照明装置１０において、両面テープ１５の基材１６は、光を反射する白色基材であり、例えば、ポリエチレンテレフタレート（ＰＥＴ）樹脂に酸化チタン等の白色顔料を練り込んで形成された白色ＰＥＴフィルムからなる。また、２つの粘着層１７、１８のうち、少なくとも、基材１６の導光板２０と対向する側の面に形成された粘着層（説明の便宜のため、粘着層１７とする）は、光を反射する白色粘着層であり、具体的には、透明粘着剤（例えば、アクリル系粘着剤）に光反射性物質として酸化チタン等の白色顔料が混入されて調製されている。白色顔料として酸化チタンを用いる場合、その粒径は、例えば１０μｍである。
さらに、両面テープ１５において、白色粘着層として構成される粘着層１７は、その厚みが白色基材である基材１６の厚みよりも厚くなるように形成されていることが好ましい。
【００２７】
ここで、本発明は、基材１６に光反射性をもたせるための具体的手段によって限定されるものではなく、例えば、基材１６を、発泡化等の他の手段により白色化するものであってもよい。また、基材１６を、母材となる樹脂材料に光反射性物質を練り込むことにより形成する場合でも、その光反射性物質は、白色顔料に限定されるものではない。また、基材１６に光反射性をもたせるために、例えば、透明な基材に銀やアルミニウムなどの光反射性に優れた金属を蒸着してもよい。本発明では、このような態様も含めて、光反射性を有する基材１６を、便宜的に白色基材とよぶものとする。同様に、粘着層１７についても、混入される部材の如何を問わず、本発明では、光反射性を有する粘着層１７を、便宜的に白色粘着層とよぶものとする。
【００２８】
ＦＰＣ１２を導光板２０へ固定すると、両面テープ１５は、白色粘着層１７を導光板２０の裏面２３に接着させ、もう一方の粘着層１８をＦＰＣ１２に接着させた状態で、導光板２０の裏面２３とＦＰＣ１２との間に介在することになる。また、両面テープ１５は、上面視短冊状に形成され、その長手方向をＦＰＣ１２の長手方向と一致させて、ＦＰＣ１２の前方部分に、各ＬＥＤ１１の前方部分で途切れることなくＦＰＣ１２の長手方向に沿って連続して延在するように配置されている。典型的には、両面テープ１５は、導光板２０に固定されたときに、図５に示す従来の面状照明装置１００が備える両面テープ１０６のように、入光面２１の長手方向に沿って、その略全長にわたって連続して延在するものである。また、両面テープ１５の幅（短手方向の長さ）は、例えば１ｍｍである。
【００２９】
以上のように構成された面状照明装置１０によれば、ＬＥＤ１１から出射された光が、両面テープ１５に進入したとしても、導光板２０の裏面２３に接着する白色粘着層１７及びその下層の白色基材１６により反射されて導光板２０に戻されることになるため、図５に示す従来の面状照明装置１００と比較して、光の損失が低減し、面状照明装置の輝度を向上させることが可能となる。
【００３０】
さらに、面状照明装置１０では、両面テープ１５を、導光板２０の入光面２１の長手方向に沿って、各ＬＥＤ１１の前方部分で途切れることなく、所望の長さ（例えば、入光面２１の長手方向の略全長）にわたって連続して延在するように配置した状態で、上述したような輝度の向上を実現するものであるため、図６に示す従来の面状照明装置１１０と比較して、輝度を低減させることなく、ＦＰＣ１２の導光板２０への固定のための広い接着面積、ひいては大きな接着強度を確保し、面状照明装置１０の耐環境性を向上させることができる。特に、面状照明装置１０では、温度や湿度等の環境の変化に伴って主に導光板２０に発生する変形により、導光板２０とＦＰＣ１２との間に応力が発生しても、その応力に対応できるだけの接着面積（ひいては、接着強度）を確保して、導光板２０とＬＥＤ１１との間の位置関係を長期間にわたって安定に維持することが可能となるものである。
【００３１】
さらに、実施例を参照して後述するように、本発明者の調査・研究により、両面テープ１５の白色粘着層１７の厚みを白色基材１６の厚みよりも厚くすることにより、総厚を同一として白色粘着層１７の厚みを白色基材１６の厚みよりも薄くした場合と比較して、輝度及び接着強度が向上することが分かった。
両面テープ１５のこのような構成は、特に、面状照明装置１０を、タブレット端末やノートＰＣ等が備える比較的大型かつ高精細の液晶表示パネル用のバックライトとして適用する場合に、有利な構成である。
【００３２】
また、面状照明装置１０では、両面テープ１５の白色粘着層１７に混入された白色顔料の光拡散作用により、ＬＥＤ１１近傍の輝度ムラを軽減し、輝度の均一性を向上させることも可能となる。
【００３３】
ここで、両面テープ１５において、ＦＰＣ１２と接着させる側の粘着層１８には、光の透過、吸収、反射に関する光学特性及び接着強度等の機械的特性について、任意の適切な特性を有するものを使用することができる。例えば、粘着層１８は、従来の両面テープが備える粘着層と同様の透明粘着層（例えば、アクリル系粘着剤からなる粘着層）であってもよい。あるいは、粘着層１８は、導光板２０の裏面２３と接着させる側の粘着層１７と同様の白色粘着層であってもよい。
【００３４】
次に、図２及び図３を参照して、本発明の第２の実施形態について説明する。但し、以下では、上述した第１の実施形態における面状照明装置１０と共通のまたは対応する構成要素には同一の符号を付して参照し、重複する部分の説明は適宜省略して、主として面状照明装置１０との相違点について説明する。
【００３５】
図２に示す面状照明装置３０は、無蓋箱状のフレーム３１を備えており、このフレーム３１に、導光板２０が、導光板２０に固定されたＦＰＣ１２及びＦＰＣ１２上に実装された複数のＬＥＤ１１とともに収納されている。また、フレーム３１には、反射シート２５及び輝度上昇シート２６が、それぞれ導光板２０の裏面２３側及び出光面２２側に配置された状態で収納されている。
【００３６】
面状照明装置３０において、導光板２０の裏面２３の入光面２１と対向する端面２４（以下、終端面ともいう）寄りの部分は、両面テープ２７を用いてフレーム３１の底部３１ｃに固定されている。これに対して、導光板２０の入光面２１側は、フレーム３１に対して固定されておらず（図示の例では、導光板２０は、終端面２４側を固定端、入光面２１側を自由端として、フレーム３１に対して片持ち状に固定されている）、かつ、ＬＥＤ１１の背面１１ｂと、フレーム３１の、ＬＥＤ１１の背面１１ｂと対向する側壁部３１ａとの間には、所定の間隙（図中、両矢印で示す）が設けられている。
【００３７】
両面テープ２７は、ＦＰＣ１２を導光板２０に固定する両面テープ１５と同様に、白色基材１６と、基材１６の導光板２０と対向する側の面に形成された白色粘着層１７を備えており（図１（ｂ）参照）、導光板２０をフレーム３１へ固定した状態では、白色粘着層１７を導光板２０の裏面２３に接着させ、もう一方の粘着層１８をフレーム３１の底部３１ｃに接着させた状態で、導光板２０の裏面２３とフレーム３１の底部３１ｃとの間に介在する。また、両面テープ２７は、上面視短冊状に形成され、その長手方向が終端面２４の長手方向に一致するように配置されており、例えば、終端面２４の長手方向の略全長にわたって連続して延在するものである。また、両面テープ２７の幅（短手方向の長さ）は、例えば１ｍｍである。
【００３８】
面状照明装置３０において、ＦＰＣ１２は、両面テープ１５を用いて面状照明装置１０と同様の構成により導光板２０に固定されるものであり、それによって、面状照明装置１０に関連させて上述した作用効果と同様の作用効果を奏する。加えて、面状照明装置３０では、導光板２０の裏面２３の終端面２４寄りの部分が、両面テープ２７を用いてフレーム３１の底部３１ｃに固定されていることから、次のような作用効果を奏するものである。
【００３９】
すなわち、面状照明装置３０では、上記構成により、温度や湿度等の環境の変化により導光板２０が伸縮した場合、その伸縮は、フレーム３１に対して固定されていない導光板２０の入光面２１側の変位となって現れ、その変位は、ＬＥＤ１１の背面１１ｂと側壁部３１ｂとの間に設けた間隙で吸収されるため、導光板２０とＦＰＣ１２、ひいてはＦＰＣ１２に実装された複数のＬＥＤ１１との一体の状態は維持されるものである。
このように、面状照明装置３０では、温度や湿度等の環境の変化により導光板２０が伸縮したとしても、導光板２０の入光面２１とＬＥＤ１１との間の位置関係を安定に保つことが可能となる。
【００４０】
また、面状照明装置３０では、導光板２０をフレーム３１に固定する両面テープ２７を、両面テープ１５と同様に、白色基材１６及び白色基材１６の導光板２０に対向する面に形成された白色粘着層１７を備えるものとしたため、両面テープ２７の光反射作用により、面状照明装置３０の輝度をさらに向上させることが可能となる。
【００４１】
本発明の第２の実施形態の別の例として、図３に面状照明装置４０を示す。面状照明装置４０は、導光板２０のフレーム３１に対する固定に際して、導光板２０の終端面２４が、フレーム３１の、終端面２４と対向する側壁部３１ｂに固定されている点で、図２に示す面状照明装置３０と相違する。但し、面状照明装置４０でも、この固定には両面テープ２８が用いられており、両面テープ２８は、ＦＰＣ１２を導光板２０に固定する両面テープ１５と同様に、白色基材１６と、基材１６の導光板２０と対向する側の面に形成された白色粘着層１７を備えるものである（図１（ｂ）参照）。
【００４２】
すなわち、面状照明装置４０において、両面テープ２８は、導光板２０をフレーム３１へ固定した状態では、白色粘着層１７を導光板２０の終端面２４に接着させ、もう一方の粘着層１８をフレーム３１の側壁部３１ｂに接着させた状態で、導光板２０の終端面２４とフレーム３１の側壁部３１ｂとの間に介在する。また、両面テープ２８は、上面視短冊状に形成され、その長手方向が終端面２４の長手方向に一致するように配置されており、例えば、終端面２４の長手方向の略全長にわたって連続して延在するものである。また、両面テープ２８の幅（短手方向の長さ）は、例えば、終端面２４の厚みと略同一である。
【００４３】
以上のように構成された面状照明装置４０は、図２に示す面状照明装置３０と同様の作用効果を奏するものである。さらに、面状照明装置３０の構成と面状照明装置４０の構成とを比較すれば、導光板２０とフレーム３１との接着強度を確保する点では、両面テープ２７の幅（したがって、接着面積）を選択する自由度の大きい面状照明装置３０の構成が有利である。一方、面状照明装置４０の構成によれば、導光板２０の終端面２４をフレーム３１に固定する構成を備えていることから、導光板２０の裏面２３の終端面２４側を反射シート２５によって完全に覆うことができ、さらに、両面テープ２８により導光板２０の終端面２４からの漏れ光も反射して導光板２０内に戻すことによって、面状照明装置４０の輝度を一層向上させることができる。また、導光板２０の裏面２３ではなく終端面２４に両面テープ２８を配置した面状照明装置４０の構成は、装置の薄型化の観点からも有利なものである。
【実施例】
【００４４】
次に、本発明に係る面状照明装置の実施例について説明する。尚、以下では、両面テープ１５、２７、２８のように、白色基材１６と白色粘着層１７とを備えた両面テープを白色両面テープともいい、図５及び図６に示す両面テープ１０６、１１６、１１７、１１８のように、透明基材の両面に透明粘着層が形成された従来の両面テープを透明両面テープともいう。
【００４５】
（白色両面テープの構造と反射率）
まず、本発明に係る白色両面テープとして、白色基材と白色粘着層の厚みの比が互いに異なる２種類の白色両面テープ（サンプル１及びサンプル２）を準備して、波長５５０ｎｍの光に対する反射率を測定し、次表に示す結果を得た。
尚、この測定に用いたサンプル１及びサンプル２は、白色基材の両面に白色粘着層を備えるものであり、２つの白色粘着層の厚みは同一である。
【表１】
2015032366.tif 000003
【００４６】
この結果から、サンプル１及びサンプル２のいずれのサンプルについても、良好な反射率を有することが確認された。また、総厚（８０μｍ）が同一のサンプル１の反射率（９１％）とサンプル２の反射率（９２％）とを比較すると、白色粘着層の厚み（２１μｍ）が白色基材の厚み（３８μｍ）よりも薄いサンプル１よりも、白色粘着層の厚み（３０μｍ）が白色基材の厚み（２０μｍ）よりも厚いサンプル２の方が、反射率が高いことが分かった。
【００４７】
（実機の輝度特性）
次に、本発明に係る面状照明装置を試作し、その輝度を測定した結果を、比較例とともに次表に示す。試作した面状照明装置は、比較例及び実施例ともに、フレーム（図２、図３に示すフレーム３１に相当）を備えており、ＬＥＤが実装されたＦＰＣを導光板の裏面の入光面寄りの部分に両面テープを用いて固定し、かつ、導光板の裏面の終端面寄りの部分を両面テープ用いてフレームに固定した構成を備えている。
【００４８】
ここで、実機Ｎｏ．１は、比較例であり、ＦＰＣの導光板への固定に従来の透明両面テープを用い、導光板のフレームへの固定に、この用途のために従来一般的に用いられている黒色両面テープ（黒色基材の両面に透明粘着層が形成された両面テープ）を用いたものである。そして、実機Ｎｏ．２〜Ｎｏ．４が、ＦＰＣの導光板への固定に白色両面テープ（上記のサンプル１またはサンプル２）を用いた本発明に係る面状照明装置の実施例である。但し、実機Ｎｏ．２及びＮｏ．３では、導光板のフレームへの固定には比較例と同じ黒色両面テープが用いられているのに対して、実機Ｎｏ．４は、導光板のフレームへの固定にも白色両面テープ（上記のサンプル２）が用いられている（図２に示す面状照明装置３０に相当）。
尚、測定された輝度は、比較例である実機Ｎｏ．１の面状照明装置の輝度を１００とした相対輝度で示されている。
【表２】
2015032366.tif 000004
【００４９】
この結果、本発明の実施例である実機Ｎｏ．２〜Ｎｏ．４の面状照明装置は、比較例である実機Ｎｏ．１の面状照明装置に対して、いずれも輝度が顕著に向上することが分かった。特に、実機Ｎｏ．１と、実機Ｎｏ．２及びＮｏ．３との比較から、ＦＰＣの導光板への固定に、従来の透明両面テープに代えて白色両面テープ（サンプル１及びサンプル２）を用いることにより、このような輝度向上の効果が得られることが分かった。
【００５０】
また、本発明の実施例のうち、実機Ｎｏ．２と実機Ｎｏ．３との比較から、ＦＰＣを導光板へ固定するために用いる白色両面テープとして、サンプル１の白色両面テープに代えてサンプル２の白色両面テープを用いることにより、さらに輝度が向上することが分かる。これは、（白色両面テープの構造と反射率）で上述したように、サンプル２の反射率がサンプル１の反射率よりも高いことが、面状照明装置の輝度に反映した結果であると考えられる。したがって、本発明に係る白色両面テープを、サンプル２のような白色粘着層の厚みが白色基材の厚みよりも厚い構成とすることは、輝度向上の観点から好ましいものである。
【００５１】
また、本発明の実施例のうち、実機Ｎｏ．３と実機Ｎｏ．４との比較から、導光板をフレームに固定する両面テープとして、黒色両面テープに代えて白色両面テープ（サンプル２）を用いることにより、さらに輝度が向上することが分かる。したがって、本発明に係る面状照明装置が、導光板及び光源を収納するフレームを有しており、導光板を両面テープを用いてフレームに固定するように構成されている場合、その両面テープを本発明に係る白色両面テープとすることにより、面状照明装置の輝度を一層向上させることができるものである。
【００５２】
さらに、これらの輝度の測定において、実機Ｎｏ．２〜Ｎｏ．４の面状照明装置では、実機Ｎｏ．１の面状照明装置と比較して、白色両面テープの混入された白色顔料の光拡散作用により、ＬＥＤ近傍の輝度ムラが軽減されることが確認された。
【００５３】
（接着強度）
次に、本発明に係る白色両面テープの接着強度を測定した結果を、次表に示す。測定に用いた白色両面テープのサンプルは、上記のサンプル１及びサンプル２と、サンプル２と同様に白色粘着層の厚み（３５μｍ）が白色基材の厚み（１３μｍ）よりも厚いサンプル３である。但し、サンプル３は、サンプル２よりも、総厚及び白色基材の厚みに対する白色粘着層の厚みの比率が大きいものである。
尚、サンプル３も、サンプル１及びサンプル２と同様に、白色基材の両面に白色粘着層を備えるものであり、２つの白色粘着層の厚みは同一である。
【００５４】
この測定における接着強度は、各サンプルの被着体をポリカーボネートとし、剥離角度を１８０°、剥離測度を３００ｍｍ／分とした条件で、それぞれ幅２０ｍｍのサンプルを被着体から剥離したときの力（Ｎ／２０ｍｍ）を測定したものである。
【表３】
2015032366.tif 000005
【００５５】
この結果、サンプル１〜３の接着強度を比較すると、白色粘着層の厚みが白色基材の厚みよりも薄いサンプル１よりも、白色粘着層の厚みが白色基材の厚みよりも厚いサンプル２及びサンプル３の方が、接着強度が大きく、また、この接着強度は、白色基材の厚みに対する白色粘着層の厚みの比率を大きくするほど大きくなる傾向があることが分かった。したがって、本発明に係る白色両面テープを、サンプル２及びサンプル３のような白色粘着層の厚みが白色基材の厚みよりも厚い構成とすることは、白色両面テープの接着強度を向上させ、ひいては耐環境性を向上させる上でも、好ましいものである。
【００５６】
さらに、ＦＰＣの導光板への固定と導光板のフレームへの固定の両方にサンプル２の白色両面テープを使用した上記の実機Ｎｏ．４を用いて、高温試験（６５℃、２４０時間）、高温高湿試験（６０℃、９０％、２４０時間）、及び冷熱衝撃試験（３０℃−７０℃、３０分、１００サイクル）の３つの信頼性試験を行った結果、この面状照明装置は、輝度及び耐環境性の両方について、タブレット端末等の比較的表示領域の大きい電子機器用のバックライトとして通常要求される仕様を満たす特性を備えていることが確認された。
【００５７】
以上、本発明を好ましい実施形態を用いて説明してきたが、本発明に係る面状照明装置は、上述した実施形態に限定されるものではない。例えば、面状照明装置１０、３０、４０では、ＦＰＣ１２は導光板２０の裏面２３に固定されるものとしたが、ＦＰＣ１２は、その前方部分を、導光板２０の出光面２２の入光面２１寄りの部分に両面テープ１５を用いて固定されるものであってもよい。その際、両面テープ１５は、白色粘着層１７を導光板２０の出光面２２に接着させ、もう一方の粘着層１８をＦＰＣ１２に接着させた状態で、導光板２０の出光面２２とＦＰＣ１２との間に介在するものである。
【００５８】
また、図４に示すように、面状照明装置５０が、面状照明装置５０を液晶表示パネル５１に固定するための両面テープ５５を備えている場合、この両面テープ５５を、本発明に係る白色両面テープとするものであってもよい。但し、この両面テープ５５は、通常、面状照明装置５０の周縁部分に配置されて、周縁部分からの漏れ光を遮光する機能も備えており、これによって、面状照明装置５０の有効発光領域２９を定めるものであるため、その具体的な構成は、次のようなものである。
【００５９】
すなわち、両面テープ５５は、基材５２と、基材５２の両面に形成された粘着層５３、５４とを備えており、基材５２は、ＦＰＣ１２を導光板２０に固定するための両面テープ１５が備える基材１６と同様の白色基材に対して、その一方の（この場合、液晶表示パネル５１と対向する側）の面に黒色印刷等の遮光手段を設けて構成されている。そして、基材５２の導光板２０と対向する側の面に形成された粘着層５３は、基材１６の白色粘着層１７と同様の白色粘着層からなる。また、基材５２の液晶表示パネル５１と対向する側の（黒色印刷が施された）面に形成された粘着層５４は、任意の適切な構成とすることができるが、典型的には、従来の透明粘着層からなるものである。
このように、両面テープ５５の導光板２０と対向する側を、白色粘着層５３及び白色基材５２とから光反射性を有するように構成することによって、有効発光領域２９の輝度を向上させることが可能となる。
【００６０】
尚、液晶表示パネル５１と面状照明装置５０との固定手段によっては、面状照明装置５０の周縁部には、基材５２と白色粘着層５３とから構成され、粘着層５４を有しない片側粘着テープが配置されているものであってもよい。
【符号の説明】
【００６１】
１０，３０，４０，５０：面状照明装置、１１：ＬＥＤ、１２：フレキシブル回路基板、１５，２７，２８，５５：両面テープ、１６，５２：基材（白色基材）、１７，５３：粘着層（白色粘着層）、１８，５４：粘着層、２０：導光板、２１：入光面、２２：出光面、２３：裏面、２４：終端面
【図１】
2015032366.tif 000006
【図２】
2015032366.tif 000007
【図３】
2015032366.tif 000008
【図４】
2015032366.tif 000009
【図５】
2015032366.tif 000010
【図６】
2015032366.tif 000011